(57)【要約】【課題】文字部の外側に枠線部が設けられかつ文字部の色や輝度を選択的に変えることができるようにされる場合であっても、導光体や拡散板を用いる場合に比べて少ない部品点数で枠線部をムラなく照明できる表示装置の提供。【解決手段】枠線照明用スペース４４を跨いで外周本体枠部４１と文字枠部４２とを繋ぐ橋渡し部４５が、枠線用ＬＥＤ３１を中心とする対数螺旋の回転面を持つ第１の反射面４５ａを複数備えている。そのため、枠線用ＬＥＤ３１の光は第１の反射面４５ａのどの部分でも入射角と反射角が同じことから、枠線用ＬＥＤ３１から比較的遠い部分に枠線用ＬＥＤ３１の光を比較的多く照射させることができる。したがって、枠線用ＬＥＤ３１に比較的近い部分と枠線用ＬＥＤ３１から比較的遠い部分との輝度差を少なくすることができ、枠線照明スペース４４内の光ムラを低減できる。この結果、枠線部２１をムラなく照明できる。【選択図】        図４
2014211505.tif 000002
【特許請求の範囲】
【請求項１】
文字盤と、光源装置と、ケースと、を有し、
前記文字盤は、枠線部と、該枠線部の内側に設けられる複数の文字部と、を備えており、
前記光源装置は、前記文字盤の下側に配置されており、前記枠線部を照明するための枠線用ＬＥＤと、前記文字部を照明するための文字用ＬＥＤと、を備えており、
前記ケースは、前記文字盤と前記光源装置との間に配置されており、外周本体枠部と、該外周本体枠部の内側で複数の前記文字部のそれぞれに対応させて設けられており前記文字部を囲み前記文字用ＬＥＤの光のみが前記文字部に届き前記枠線用ＬＥＤの光が前記文字部に届かないようにする文字枠部と、該文字枠部の内側のスペースからなる文字照明スペースと、前記外周本体枠部の内側で前記文字枠部の外側のスペースからなる枠線照明スペースと、該枠線照明スペースを跨いで前記外周本体枠部と前記文字枠部とを繋ぐ橋渡し部と、を備えており、
前記橋渡し部は、前記枠線用ＬＥＤの直上を避けて設けられており、前記枠線用ＬＥＤを中心とする対数螺旋の回転面を持つ反射面を備えている、表示装置。
【請求項２】
前記ケースは、さらに、前記枠線用ＬＥＤの直上部を含む部分に設けられ前記枠線用ＬＥＤの光を部分的に遮る遮光部を備えており、
前記遮光部は、前記橋渡し部の対数螺旋の回転面とは別の、前記枠線用ＬＥＤを中心とする対数螺旋の回転面を持つ反射面を備えている、請求項１記載の表示装置。
【発明の詳細な説明】
【技術分野】
【０００１】
本発明は、枠線部と枠線部の内側に設けられる複数の文字部との両方が照明される表示装置に関する。
【背景技術】
【０００２】
従来の表示装置には、たとえば、以下の装置がある。
（ｉ）図９、図１０に示される装置。
図９、図１０は、車両用シフトレバー装置におけるシフト位置（レバー位置）を表示する表示装置１を開示している。この装置１では、文字盤２に、シフト位置を表示する複数の文字部２ａおよび表示窓２ｂと、文字部２ａと表示窓２ｂの間に線状に配置された枠線部２ｃとが、設けられている。枠線部２ｃは、文字部２ａの羅列だけの場合に比べてシフトパターンを認識しやすくするために設けられる。文字部２ａと枠線部２ｃは、文字盤２の裏側に配設される導光体（レンズ）５により導かれたＬＥＤ６の光により、夜間は全体が照明される。
この装置１では、１つのＬＥＤ６で導光体５を用いて全部の文字部２ａを光らせる構成となっているため、文字部２ａは一定の色と輝度で点灯するだけであり、選択的に文字部２ａの色や輝度を変えることができない。
【０００３】
（ｉｉ）特開２０１１−１８５９９５号公報開示の装置
特開２０１１−１８５９９５号公報は、２種類の色のＬＥＤを用いることで文字部だけが選択的に色を変えて点灯する装置を開示している。
この装置では、文字部の外側に図９に示すような枠線部２ｃを配置しようとすると、図１１に示すように、文字部点灯時の光漏れ防止の囲い７ａと外周本体枠部７ｂとの間に、枠線部２ｃの下を通る橋渡し部７ｃが必要なため、枠線部２ｃの夜間点灯時に橋渡し部７ｃによる影や輝度ムラが発生する。
【０００４】
（ｉｉｉ）特開２００４−２３３４６６号公報開示の装置、特許第３４７８９３７号公報開示の装置
これらの公報は、図１２に示すように、導光体８ａを、文字部点灯時の光漏れ防止の囲い８ｂの上を跨いで配設した装置を開示している。
これらの装置では、文字部の外側に図９に示すような枠線部２ｃを配置しようとすると、文字部を高輝度点灯させたとき、導光体８ａを通して近接する枠線部２ｃに光漏れを生じる。また、導光体８ａが必要であるため、部品点数の増加、コスト高になる。
【０００５】
（ｉｖ）特開平８−１８９８４３号公報開示の装置
特開平８−１８９８４３号公報は、文字盤の裏側に拡散板を設ける装置を開示している。
この装置では、直射光の減光と輝度の調整に拡散板が必要であるため、部品点数の増加、コスト高になる。
【先行技術文献】
【特許文献】
【０００６】
【特許文献１】特開２０１１−１８５９９５号公報
【特許文献２】特開２００４−２３３４６６号公報
【特許文献３】特許第３４７８９３７号公報
【特許文献４】特開平８−１８９８４３号公報
【発明の概要】
【発明が解決しようとする課題】
【０００７】
本発明の目的は、文字部の外側に枠線部が設けられかつ文字部の色や輝度を選択的に変えることができるようにされる場合であっても、導光体や拡散板を用いる場合に比べて少ない部品点数で枠線部をムラなく照明できる表示装置を提供することにある。
【課題を解決するための手段】
【０００８】
上記目的を達成する本発明はつぎの通りである。
（１）  文字盤と、光源装置と、ケースと、を有し、
前記文字盤は、枠線部と、該枠線部の内側に設けられる複数の文字部と、を備えており、
前記光源装置は、前記文字盤の下側に配置されており、前記枠線部を照明するための枠線用ＬＥＤと、前記文字部を照明するための文字用ＬＥＤと、を備えており、
前記ケースは、前記文字盤と前記光源装置との間に配置されており、外周本体枠部と、該外周本体枠部の内側で複数の前記文字部のそれぞれに対応させて設けられており前記文字部を囲み前記文字用ＬＥＤの光のみが前記文字部に届き前記枠線用ＬＥＤの光が前記文字部に届かないようにする文字枠部と、該文字枠部の内側のスペースからなる文字照明スペースと、前記外周本体枠部の内側で前記文字枠部の外側のスペースからなる枠線照明スペースと、該枠線照明スペースを跨いで前記外周本体枠部と前記文字枠部とを繋ぐ橋渡し部と、を備えており、
前記橋渡し部は、前記枠線用ＬＥＤの直上を避けて設けられており、前記枠線用ＬＥＤを中心とする対数螺旋の回転面を持つ反射面を備えている、表示装置。
（２）  前記ケースは、さらに、前記枠線用ＬＥＤの直上部を含む部分に設けられ前記枠線用ＬＥＤの光を部分的に遮る遮光部を備えており、
前記遮光部は、前記橋渡し部の対数螺旋の回転面とは別の、前記枠線用ＬＥＤを中心とする対数螺旋の回転面を持つ反射面を備えている、（１）記載の表示装置。
【発明の効果】
【０００９】
上記（１）の表示装置によれば、つぎの効果を得ることができる。
（ａ）文字盤が枠線部を備えるため、複数の文字部の外側に枠線部を設けることができる。
（ｂ）光源装置が、枠線用ＬＥＤと文字用ＬＥＤを備えるため、１個の文字部を照明するための文字用ＬＥＤを複数種類設けるなどにより、文字部だけ色や輝度を選択的に変えることができる。
（ｃ）枠線照明用スペースを跨いで外周本体枠部と文字枠部とを繋ぐ橋渡し部が、枠線用ＬＥＤの直上を避けて設けられているため、枠線用ＬＥＤの光による枠線用ＬＥＤから比較的近い部分の照射を橋渡し部が阻害することを抑制できる。また、橋渡し部が、枠線用ＬＥＤを中心とする対数螺旋の回転面を持つ反射面を備えているため、枠線用ＬＥＤの光は反射面のどの部分でも入射角と反射角が同じことから、枠線用ＬＥＤから比較的遠い部分に枠線用ＬＥＤの光を比較的多く照射させることができる。したがって、枠線用ＬＥＤに比較的近い部分と枠線用ＬＥＤから比較的遠い部分との輝度差を少なくすることができ、枠線照明スペース内の光ムラを低減できる。この結果、枠線部をムラなく照明できる。
（ｄ）この構造では、導光体や拡散板を用いていないため、導光体や拡散板を用いる場合に比べて少ない部品点数で上記（ａ）〜（ｃ）の効果を得ることができる。
【００１０】
上記（２）の表示装置によれば、つぎの効果を得ることができる。
ケースが、枠線用ＬＥＤの直上部を含む部分に設けられ枠線用ＬＥＤの光を部分的に遮る遮光部を備えているため、枠線用ＬＥＤの直接光を部分的に遮ることができる。また、遮光部が、橋渡し部の対数螺旋の回転面とは別の、枠線用ＬＥＤを中心とする対数螺旋の回転面を持つ反射面を備えているため、枠線用ＬＥＤの光は反射面のどの部分でも入射角と反射角が同じことから、枠線用ＬＥＤから比較的遠い部分に枠線用ＬＥＤの光を比較的多く照射させることができる。したがって、枠線用ＬＥＤに比較的近い部分と枠線用ＬＥＤから比較的遠い部分との輝度差をさらに少なくすることができ、枠線照明スペース内の光ムラをさらに低減できる。この結果、枠線部をさらにムラなく照明できる。
【図面の簡単な説明】
【００１１】
【図１】本発明実施例の表示装置の斜視図である。
【図２】本発明実施例の表示装置の平面図である。
【図３】図２のＡ−Ａ線拡大断面図である。
【図４】図２のＢ−Ｂ線拡大断面図である。
【図５】本発明実施例の表示装置におけるケースと文字用ＬＥＤおよび枠線用ＬＥＤのみの平面図である。なお、図面の明確化のためにケースの橋渡し部に斜線を付してある。
【図６】図２のＣ−Ｃ線部分拡大断面図である。
【図７】本発明実施例の変形例を示す図であり、導光体が設けられる場合の断面図である。
【図８】本発明実施例の変形例を示す図であり、枠線部の内側に配置される文字部がシフト位置を表示する窓からなる場合の概略平面図である。
【図９】従来の表示装置の平面図である。
【図１０】図９のＤ―Ｄ断面図である。
【図１１】従来の表示装置を示す図であり、文字部点灯時の光漏れ防止の囲いと外周本体枠部との間に枠線部の下を通る橋渡し部が設けられる場合の部分概略図である。
【図１２】従来の表示装置を示す図であり、導光体を文字部点灯時の光漏れ防止の囲いの上を跨いで配設した場合の部分概略断面図である。
【発明を実施するための形態】
【００１２】
以下に、本発明実施例の表示装置を、図面を参照して説明する。なお、図中ＵＰは、上方（車室側）を示す。
【００１３】
本発明実施例の表示装置１０は、たとえば、車両用シフトレバー装置におけるシフト位置（レバー位置）を表示する装置、すなわちシフトインジケータ装置である。ただし表示装置１０は、シフトインジケータ装置に限定されるものではなく、たとえば車両に搭載されるヒーターコントロール装置等の状態をインストルメントパネル部位にて表示する装置等であってもよい。以下、本発明実施例では、表示装置１０がシフトインジケータ装置である場合を例にとって説明する。
【００１４】
表示装置１０は、直線状の１本のシフトレバー通路からなるストレート式のシフトレバー装置に設けられていてもよく、ジグザグ形状の１本のシフトレバー通路からなるゲート式のシフトレバー装置に設けられていてもよく、複数本のシフトレバー通路を有しＭ位置、＋位置、−位置を有するシーケンシャルタイプのシフトレバー装置に設けられていてもよい。なお、図示例では、表示装置１０がシーケンシャルタイプのシフトレバー装置に設けられる場合を示している。
【００１５】
表示装置１０は、図示略のシフトレバー通路開口を備える図示略のシフトレバーハウジングの、シフトレバー通路開口の側方に設けられる。表示装置１０は、図４に示すように、文字盤２０と、光源装置３０と、ケース４０と、カバー５０と、を有する。
【００１６】
文字盤２０は、図１に示すように、枠線部２１と、文字部２２と、を備え、図４に示すように、インジケータ２３と、シート２４と、を備える。
【００１７】
枠線部２１は、文字部２２の羅列だけの場合に比べてシフトパターンを認識しやすくするために設けられる。枠線部２１は、図１に示すように、シフトパターン形状を模した形状を有しており、線状で１つのみ設けられる。枠線部２１は、文字部２２の外側で一定幅で全周にわたって連続して設けられる。
【００１８】
文字部２２は、枠線部２１の内側に複数設けられる。枠線部２１の外側に設けられるものは文字部２２ではない。文字部２２は、Ｐ，Ｒ，Ｎ，Ｄ、Ｍ等のシフトポジション文字であってもよく、図８に示すように、Ｐ，Ｒ，Ｎ，Ｄ、Ｍ等のシフトポジション文字に対応させて設けられる表示窓２２ａであってもよい。
【００１９】
インジケータ２３は、透明樹脂製であり、図３、図４に示すようにシート２４が接着された状態でケース４０に固定して取付けられる。
シート２４は、透明樹脂製であり、枠線部２１と文字部２２は透明に、枠線部２１と文字部２２以外は、光を透過しないように黒色印刷された後、光を反射するように白色印刷されている。その後、枠線部２１と文字部２２が光を透過可能に着色印刷され、インジケータ２３に接着される。
【００２０】
光源装置３０は、文字盤２０の下側（裏側、反車室側）に配置されている。光源装置３０は、枠線部２１を照明するための枠線用ＬＥＤ３１と、文字部２２を照明するための文字用ＬＥＤ３２と、基板３３と、を備える。
【００２１】
枠線用ＬＥＤ３１は、基板３３の上面（表面、車室側面）に配置されている。枠線用ＬＥＤ３１は、ケース４０の枠線照明スペース４４に位置する。枠線用ＬＥＤ３１は、枠線部２１全体をムラなく照明するために複数設けられており、図示例では枠線部２１の直下を避けて５個設けられている。枠線用ＬＥＤ３１は、ケース４０の枠線照明スペース４４を照明することで、枠線部２１を照明する。枠線用ＬＥＤ３１は、車両のライトスイッチのオンオフに伴って消灯、点灯するように設定されており、昼間は消灯されており、夜間は点灯して低輝度かつ単一色で枠線部２１を照明する。
【００２２】
文字用ＬＥＤ３２は、基板３３の上面（表面、車室側面）に配置されている。文字用ＬＥＤ３２は、ケース４０の文字照明スペース４３に位置する。文字用ＬＥＤ３２は、文字部２２を選択的に色または輝度もしくはその両方を変えて照明するために設けられており、図５に示すように各文字部２２に対してたとえば互いに異色の２個設けられている。文字用ＬＥＤ３２は、ケース４０の文字照明スペース４３を照明することで、文字部２２を照明する。文字用ＬＥＤ３２は、車両のライトスイッチのオンオフに伴って消灯、点灯するように設定されている。シフトレバーが位置する文字部２２を照明する文字用ＬＥＤ３２は、夜間は中輝度、昼間は高輝度で点灯して該文字部２２を選択的に色を変えて照明する。シフトレバーが位置しない文字部２２を照明する文字用ＬＥＤ３２は、昼間は消灯されており、夜間は低輝度で点灯して該文字部２２を照明する。
【００２３】
基板３３は、図３、図４に示すように、枠線用ＬＥＤ３１および文字用ＬＥＤ３２が実装され、樹脂製のカバー５０に挟み込まれてケース４０に固定される。基板３３の、枠線用ＬＥＤ３１および文字用ＬＥＤ３２が取付けられる上面の、枠線用ＬＥＤ３１および文字用ＬＥＤ３２の周囲は、光を効率良く反射するように白色印刷されていることが望ましい。
【００２４】
ケース４０は、光を透過しない樹脂製である。ケース４０の色は、光を効率良く反射するように白色であることが望ましい。ケース４０は、文字盤２０と光源装置３０との間に配置されている。ケース４０は、図示略のシフトレバーハウジングに固定して取付けられる。ケース４０は、外周本体枠部４１と、文字枠部４２と、文字照明スペース４３と、枠線照明スペース４４と、橋渡し部４５と、遮光部４６と、を備える。
【００２５】
外周本体枠部４１は、図５に示すように、ケース４０の外周枠を構成する部分である。外周本体枠部４１は、全周にわたって連続して設けられている。ケース４０は、外周本体枠部４１にて図示略のシフトレバーハウジングに固定して取り付けられる。
【００２６】
文字枠部４２は、外周本体枠部４１の内側（内周側）に設けられる。文字枠部４２は、複数の文字部２２のそれぞれに対応させて１個ずつ設けられている。文字枠部４２は、図３、図４に示すように、文字盤２０のシート２４および光源装置３０の基板３３に接触しており、文字盤２０と光源装置３０との間の空間を文字枠部４２の内部と外部の空間に分けている。文字枠部４２は、文字部２２を全周にわたって囲んでおり、文字用ＬＥＤ３２の光のみが文字部２２に届き枠線用ＬＥＤ３１の光が文字部２２に届かないようにするために設けられる。文字枠部４２により、枠線用ＬＥＤ３１の光のみが枠線部２１に届き文字用ＬＥＤ３２の光が枠線部２１に届かないようになっている。
【００２７】
文字照明スペース４３は、文字枠部４２の内側のスペースからなる。文字照明スペース４３は、上下方向すなわち文字盤２０側および光源装置３０側のみに開放しており、文字用ＬＥＤ３２の光が文字照明スペース４３を通って文字部２２に届くようになっている。文字照明スペース４３には、図７に示すように、文字用ＬＥＤ３２の上部にダイヤカットを施したレンズ６０が配設されていてもよい。この場合、レンズ６０を用いて効果的に輝度を上げることができる。
【００２８】
枠線照明スペース４４は、図３、図４に示すように、外周本体枠部４１の内側（内周側）で文字枠部４３の外側（外周側）のスペースからなる。枠線照明スペース４４は、上下方向すなわち文字盤２０側および光源装置３０側のみに開放しており、枠線用ＬＥＤ３１の光が枠線照明スペース４４を通って枠線部２１に届くようになっている。
【００２９】
橋渡し部４５は、図５に示すように、外周本体枠部４１と文字枠部４２とを繋いでおり、文字枠部４２が脱落することを防止している。なお、必要に応じて、橋渡し部４５は文字枠部４２同士をさらに繋いでいてもよい。橋渡し部４５は、枠線照明スペース４４を跨いで（通って）外周本体枠部４１と文字枠部４２とを繋いでいる。橋渡し部４５は、枠線用ＬＥＤ３１の直上を避けて設けられている。橋渡し部４５の一部は、枠線部２１の直下に入り込んでいる。橋渡し部４５は、図３、図４に示すように、枠線照明スペース４４の上下方向中間部のみに位置している。すなわち、橋渡し部４５と文字盤２０および光源装置３０との間には、光が通過可能な隙間が存在している。
【００３０】
橋渡し部４５は、各枠線用ＬＥＤ３１を中心とする対数螺旋の回転面を持つ第１の反射面４５ａを複数備えている。第１の反射面４５ａは、橋渡し部４５の上面（文字盤２０側面）に設けられている。複数の枠線用ＬＥＤ３１のうちの任意の１つの枠線用ＬＥＤ３１に着目したとき、該１つの枠線用ＬＥＤ３１が照明する範囲に位置する複数の第１の反射面４５ａは、該１つの枠線用ＬＥＤ３１を中心とする同一式の対数螺旋の回転面となっている。
【００３１】
遮光部４６は、外周本体枠部４１および／または橋渡し部４５から枠線照明スペース４４内に突出して設けられている。遮光部４６は、枠線用ＬＥＤ３１と同数設けられている。遮光部４６は、枠線用ＬＥＤ３１の直上部を含む部分に設けられており、枠線用ＬＥＤ３１の光を部分的に遮っている。遮光部４６は、枠線部２１の直下を避けて設けられている。遮光部４６は、枠線用ＬＥＤ３１の直接光が枠線部２１に届き部分的に輝度が高くなることを抑制している。遮光部４６は、文字盤２０に接触しており文字盤２０との間に光が通らないようにされている。遮光部４６と光源装置３０との間には、光が通過可能な隙間が存在している。
【００３２】
各遮光部４６は、橋渡し部４５の対数螺旋の回転面とは別の、枠線用ＬＥＤ３１を中心とする対数螺旋の回転面を持つ第２の反射面４６ａを複数備えている。第２の反射面４６ａは、遮光部４６の下面（光源装置３０側面）に設けられる。複数の枠線用ＬＥＤ３１のうちの任意の１つの枠線用ＬＥＤ３１に着目したとき、該１つの枠線用ＬＥＤ３１が照明する範囲に位置する遮光部４６に設けられる第２の反射面４６ａは、該１つの枠線用ＬＥＤ３１を中心とする同一式の対数螺旋の回転面となっている。第１の反射面４５ａと第２の反射面４６ａとは、同じ式であってもよく異なる式であってもよい。
【００３３】
つぎに、本発明実施例の作用を説明する。
（ａ）文字盤２０が枠線部２１を備えるため、複数の文字部２２の外側に枠線部２１を設けることができる。
（ｂ）光源装置３０が、枠線用ＬＥＤ３１と文字用ＬＥＤ３２を備えるため、１個の文字部２２を照明するための文字用ＬＥＤ３２を複数種類設けるなどにより、文字部２２だけ色や輝度を選択的に変えることができる。
（ｃ）枠線照明用スペース４４を跨いで外周本体枠部４１と文字枠部４２とを繋ぐ橋渡し部４５が、枠線用ＬＥＤ３１の直上を避けて設けられているため、枠線用ＬＥＤ３１の光による枠線用ＬＥＤ３１から比較的近い部分の照射を橋渡し部４５が阻害することを抑制できる。また、橋渡し部４５が、枠線用ＬＥＤ３１を中心とする対数螺旋の回転面を持つ第１の反射面４５ａを複数備えているため、枠線用ＬＥＤ３１の光は第１の反射面４５ａのどの部分でも入射角と反射角が同じことから、枠線用ＬＥＤ３１から比較的遠い部分に枠線用ＬＥＤ３１の光を比較的多く照射させることができる。したがって、枠線用ＬＥＤ３１に比較的近い部分と枠線用ＬＥＤ３１から比較的遠い部分との輝度差を少なくすることができ、枠線照明スペース４４内の光ムラを低減できる。この結果、枠線部２１をムラなく照明できる。
（ｄ）この構造では、導光体や拡散板を用いていないため、導光体や拡散板を用いる場合に比べて少ない部品点数で上記（ａ）〜（ｃ）の作用、効果を得ることができる。
【００３４】
ケース４０が、枠線用ＬＥＤ３１の直上部を含む部分に設けられ枠線用ＬＥＤ３１の光を部分的に遮る遮光部４６を備えているため、枠線用ＬＥＤ３１の直接光を部分的に遮ることができる。また、遮光部４６が、橋渡し部４５の対数螺旋の回転面とは別の、枠線用ＬＥＤ３１を中心とする対数螺旋の回転面を持つ第２の反射面４６ａを備えているため、枠線用ＬＥＤ３１の光は第２の反射面４６ａのどの部分でも入射角と反射角が同じことから、枠線用ＬＥＤ３１から比較的遠い部分に枠線用ＬＥＤ３１の光を比較的多く照射させることができる。したがって、遮光部４６が第２の反射面４６ａを備えていない場合に比べて、枠線用ＬＥＤ３１に比較的近い部分と枠線用ＬＥＤ３１から比較的遠い部分との輝度差をさらに少なくすることができ、枠線照明スペース４４内の光ムラをさらに低減できる。この結果、枠線部２１をさらにムラなく照明できる。
よって、第１の反射面４５ａと第２の反射面４６ａの相乗効果により、夜間点灯時の枠線部２１の光ムラを軽減できる。
【００３５】
枠線用ＬＥＤ３１からの光が第１の反射面４５ａまたは第２の反射面４６ａにより反射されて橋渡し部４５の直上に位置する枠線部２１部分に向かうようにすることで、枠線部２１の夜間点灯時に橋渡し部４６による影や輝度ムラが発生することを効果的に抑制できる。
【符号の説明】
【００３６】
１０  表示装置
２０  文字盤
２１  枠線部
２２  文字部
２２ａ  表示窓
２３  インジケータ
２４  シート
３０  光源装置
３１  枠線用ＬＥＤ
３２  文字用ＬＥＤ
３３  基板
４０  ケース
４１  外周本体枠部
４２  文字枠部
４３  文字照明スペース
４４  枠線照明スペース
４５  橋渡し部
４５ａ  第１の反射面
４６  遮光部
４６ａ  第２の反射面
５０  カバー
【図１】
2014211505.tif 000003
【図２】
2014211505.tif 000004
【図３】
2014211505.tif 000005
【図４】
2014211505.tif 000006
【図５】
2014211505.tif 000007
【図６】
2014211505.tif 000008
【図７】
2014211505.tif 000009
【図８】
2014211505.tif 000010
【図９】
2014211505.tif 000011
【図１０】
2014211505.tif 000012
【図１１】
2014211505.tif 000013
【図１２】
2014211505.tif 000014